(57)【要約】【課題】作業員が集塵装置内に立ち入ることなく灰だし作業を行う。【解決手段】左右に出入口ダクト２２，２３、下部に集塵ホッパ３２からなる開口部を設けた密閉チャンバ２４内に複数の静電極群２９，３０を備えた電気集塵装置１７における運転休止時に、前記静電極群２９，３０に付着集積した煤塵を排出する方法であって、前記ダクト２２，２３、集塵ホッパ３２からなる開口部のいずれかに真空吸引装置４１の吸引口を接続し、真空吸引装置４０の駆動によりチャンバ２４内部に吸引側への気流を生じさせ、この気流により前記静電極群の表面に付着した残余の煤塵を吸引するとともに、真空吸引装置４０の吐出し口に接続した回収用の仮設タンク４６内に捕捉するものである。【選択図】     図４
2005152720.tif 000002
【特許請求の範囲】
【請求項１】
左右に出入口ダクト、下部に集塵ホッパをそれぞれ備え、該集塵ホッパに開口部を設けてなる密閉チャンバ内に複数の静電極群を備えた電気集塵装置における運転休止時に、前記集塵ホッパ内に堆積した煤塵を排出する方法であって、
前記ホッパの開口部に真空吸引装置の吸引口を接続し、該真空吸引装置の駆動によりチャンバ内部に吸引側への気流を生じさせ、この気流により前記集塵ホッパ内に堆積した煤塵を吸引するとともに、前記真空吸引装置の吐出し口に接続した回収用のタンク内に捕捉することを特徴とする電気集塵装置の灰だし作業方法。
【発明の詳細な説明】
【技術分野】
【０００１】
本発明は、火力発電所などに配備される大型の電気集塵装置の灰出し作業方法に関する。
【背景技術】
【０００２】
火力発電所における重要施設の一つとして電気式集塵装置がある。集塵装置は、静電吸引力を利用して、ボイラの炉内から発生する排煙中の煤塵を除去するもので、その処理効率がきわめて高いうえに、この装置から排出した粉塵はフライアッシュ回収装置により回収することにより、セメント原料などの資源に有効活用できる利点がある。
【０００３】
しかしながら、煤塵は装置から全て除去されるのではなく、装置のチャンバ内に残存して順次堆積するため、定期点検などの運転休止時に、清掃作業によりチャンバ内部の灰を全て除去する必要がある。
【０００４】
従来、以上の灰だし作業のためには、作業員がチャンバ内に立ち入り、静電極面に付着した残余の煤塵をかき落とし、チャンバ内における点検用フロア面に集めたうえで水洗作業により洗い流し、外部に排出していた。
【発明の開示】
【発明が解決しようとする課題】
【０００５】
しかしながら、前記灰だし作業時にはチャンバ内部の発塵が著しく、作業環境が悪化し、作業員の負担が大きいことに加え、流れ出した灰により敷地内が汚染されないように回収する必要があった。
【０００６】
また、焼却灰中には鉄錆が多く含まれているため、敷地内に集めた灰を灰処理系で処理しようとするとバグフィルタの詰まりが生ずるため、実際の処理は困難であり、系外に排出する必要があった。
【０００７】
本発明は、以上の課題を解決するものであり、その目的は、作業員が集塵装置ホッパ内に立ち入ることなく灰だし作業を行うことができ、かつ排出した灰を一箇所に集積することで資源として有効利用できるようにした大形電気集塵装置の灰だし作業方法を提供するものである。
【課題を解決するための手段】
【０００８】
本発明は、左右に出入口ダクト、下部に集塵ホッパをそれぞれ備え、該集塵ホッパに開口部を設けてなる密閉チャンバ内に複数の静電極群を備えた電気集塵装置における運転休止時に、前記集塵ホッパ内に堆積した煤塵を排出する方法であって、前記ホッパの開口部に真空吸引装置の吸引口を接続し、該真空吸引装置の駆動によりチャンバ内部に吸引側への気流を生じさせ、この気流により前記集塵ホッパ内に堆積した煤塵を吸引するとともに、前記真空吸引装置の吐出し口に接続した回収用のタンク内に捕捉することを特徴とするものである。
【０００９】
したがって、本発明では、作業員が集塵ホッパ内に立ち入ることなく灰出し作業を行うことができ、吸引した粉塵はそのままタンク内に回収でき、資源として有効利用できる。
【発明の効果】
【００１０】
本発明による電気集塵装置の灰だし作業方法にあっては、作業員が集塵装置ホッパ内に立ち入ることなく灰だし作業を行うことができ、かつ排出した灰を一箇所に集積することで資源として有効利用できる。また、作業時は発塵を完全に防止することが可能となり、作業者の健康確保はもとより、作業環境の改善および周辺環境の汚染を防止することができる。
【発明を実施するための最良の形態】
【００１１】
以下、本発明の好ましい実施の形態につき、添付図面を参照して詳細に説明する。
【００１２】
図１は、本発明方法が適用される臨海の火力発電プラントの概要を示す。  
同図において、符号１はボイラであり、このボイラ１は、石炭、軽油などからなる燃料供給系２および空気予熱器３などからの燃料、空気の供給を受けて燃焼し、内部に循環する水により高温高圧の蒸気を発生させ、蒸気管を通じて高圧タービン４およびこれとタンデムに連結された中圧タービン５を回転駆動し、その出力軸に連繋する発電機６を回すとともに、中圧タービン４から排出された蒸気によりこれらと並列配置された低圧タービン７を駆動してその出力軸に連繋する発電機８を回し、各発電機６，８により発生した電力を変圧器９、開閉所１０を経て外部に給電している。
【００１３】
低圧タービン７から排出された排蒸気は復水器１１内で熱交換されて凝縮し、その復水並びに補給水１２は給水ポンプ１４により前記ボイラ１内に循環供給される。冷却水は海から循環ポンプ１５を介して取り入れられ、熱交換後再び海に放流される。
【００１４】
ボイラ１からの排ガスは、脱硝装置１６により窒素酸化物を除去された後、前記空気予熱器３を経て本発明方法が適用される電気式集塵装置１７に送られ、ここで煤塵の除去がなされ、さらには排煙脱硫装置１８により硫黄酸化物が除去された上で煙突１９を通じて大気に放出される。
【００１５】
集塵装置１７から排出される塵埃はフライアッシュ回収装置２０に回収され、一部がセメントなどの原料として利用されるとともに、ボイラ１から排出される灰とともに灰捨て場２１に集積される。
【００１６】
以上の各設備のうち、前記集塵装置１７の詳細を図２，３を用いて説明する。  
図２はその内部構造を示すもので、集塵装置１７は、入口絞りダクト２２、出口絞りダクト２３を左右のそれぞれに形成した箱形の密閉チャンバ２４と、チャンバ２４上に配置された長方形の３つの碍子室２５と、碍子室２５上に配置された複数の高圧変圧整流器２６と、チャンバ２４上に配置された一対の槌打装置２７と、チャンバ２４内にあって、入口絞りダクト２２に面して配置された多孔板２８と、多孔板２８の背部に設けられ仕切り板状をなしてその面内方向が出入口方向に沿うように横列状態に多数配置された集塵極２９と、各集塵極２８の間に配設され、かつ碍子室２５内に配置された放電極支持碍子３０に接続された放電極３１と、チャンバ２４の下部にあって、両極２９，３１の集合体からなる複数の静電極群の配列位置に対向して配置された４つの集塵ホッパ３２とからなり、さらに各静電極群周囲における床面に点検用のフロア３３を設けたものである。
【００１７】
集塵装置１７の動作原理は、図３に示すように、高圧変圧整流器２６によって作られた直流高圧電源の＋側に前記集塵極２９が接続してプラスに帯電し、−側に放電極３１が接続している。したがって、集塵極２９間を煤塵が通過すると、放電極３１から放出される−の電荷により煤塵は−に帯電し、集塵極２９の表面に吸着され、ここに堆積する。
【００１８】
また、排ガスの通風を停止し、かつ電源を遮断した後、槌打ち装置２７によって振動が与えられると、集塵極２９に吸着され堆積した煤塵は集塵ホッパ３２内に落下し、集塵ホッパ３２を通じて図１に示すフライアッシュ回収装置２０に回収される。
【００１９】
以上の集塵装置１７の性能は、例えば、排ガス量５８０００〜１２０００００ｍ２Ｎ／ｈ、処理ガス温度１３０〜１４０℃で、集塵効率は９５〜９９％以上と、きわめて効率が高いものである。
【００２０】
次に、以上の集塵装置１７の定期点検時における灰だし作業を図４を用いて説明する。まず、準備作業として真空吸引車４０を用意する。真空吸引車４０はその荷台に大型真空吸引ポンプ４１、ポンプ駆動用モータ４２、駆動制御装置４３などを搭載したものである。
【００２１】
集塵装置１７の集塵ホッパ３２に密閉アタッチメント４４を取り付けた上で、このアタッチメント４４と、ポンプ４１の吸引口とをサクションパイプ４５で接続する。また、ポンプ４１の吐出し口と回収用の仮設タンク４６とを同じくサクションパイプ４５で接続しておく。
【００２２】
以上の準備作業後、ポンプ４１の駆動によりチャンバ２４内は真空吸引され、その流れにより、集塵ホッパ内に堆積した残余の煤煙を吸引する。吸引された煤煙は、ポンプ４１を通じて仮設タンク４６内に捕捉されてここに集積される。補集した煤塵はセメント材料として有効活用できる。
【００２３】
なお、本実施形態では、作業員が集塵装置ホッパ内に立ち入ることなく灰だし作業を行うことができ、かつ排出した灰を一箇所に集積することで資源として有効利用できる。また、作業時は発塵を完全に防止することが可能となり、作業者の健康確保はもとより、作業環境の改善および周辺環境の汚染を防止することができる。
【図面の簡単な説明】
【００２４】
【図１】本発明方法が適用される火力発電所の全体的システム構成を示す概略説明図である。
【図２】本発明方法が適用される電気集塵装置の内部構造を切り欠いて示す斜視図である。
【図３】同動作原理を示す説明図である。
【図４】本発明方法の一実施形態を示す概略説明図である。
【符号の説明】
【００２５】
１７  集塵装置
２２  入口絞りダクト
２３  出口絞りダクト
２４  密閉チャンバ
２９，３０  静電極群（２９  集塵極、３１  放電極）
３２  集塵ホッパ
４０  真空吸引車（４１真空ポンプ，４２  駆動モータ，４３  制御装置）
４６  仮設タンク
４７  弁開閉機構
【図１】
2005152720.tif 000003
【図２】
2005152720.tif 000004
【図３】
2005152720.tif 000005
【図４】
2005152720.tif 000006